(57)【要約】      （修正有）【課題】簡単な構成で待機電力を低減できる給湯機を提供する。【解決手段】給湯機１は、電力を供給する電源２と、該電源から供給された電力を基に、低電圧と定常電圧を切り替えて出力する電圧切替手段４と、前記電源から供給された電力を出力または遮断する電源遮断手段８と、該電源遮断手段から供給された電力によって駆動される給湯制御負荷６と、流量を検知する流量センサ５と、該流量センサからの信号を受信して、前記電源切替手段、前記電源遮断手段、前記給湯制御手段を制御する制御回路３とを備え、該制御回路は、前記流量センサが流量を検出したときに、有線リモコン９に低電圧を供給するとともに前記給湯制御負荷に電力を供給し、前記流量センサが流量を検出しないときに、前記有線リモコンに低電圧を供給するとともに前記給湯制御負荷に電力を供給しないものである。【選択図】図１
2016109386.tif 000002
【特許請求の範囲】
【請求項１】
電力を供給する電源と、
該電源から供給された電力を基に、低電圧と定常電圧を切り替えて出力する電圧切替手段と、
前記電源から供給された電力を出力または遮断する電源遮断手段と、
該電源遮断手段から供給された電力によって駆動される給湯制御負荷と、
流量を検知する流量センサと、
該流量センサからの信号を受信して、前記電源切替手段、前記電源遮断手段、前記給湯制御手段を制御する制御回路とを備え、
該制御回路は、前記流量センサが流量を検出したときに、有線リモコンに低電圧を供給するとともに前記給湯制御負荷に電力を供給し、
前記流量センサが流量を検出しないときに、前記有線リモコンに低電圧を供給するとともに前記給湯制御負荷に電力を供給しないことを特徴とする給湯機。
【請求項２】
請求項１に記載の給湯機において、
前記有線リモコンが待機状態であるときは、前記有線リモコンに低電圧を供給し、
前記有線リモコンが待機状態でないときは、前記有線リモコンに定常電圧を供給することを特徴とする給湯機。
【請求項３】
請求項１または２に記載の給湯機において、
前記給湯機は、使用者によって操作されたとき、または、使用者が近傍にいるのを検知したときに、待機状態から使用状態に復帰することを特徴とする給湯機。
【発明の詳細な説明】
【技術分野】
【０００１】
本発明は、待機時の消費電力をより小さくできる給湯機に関する。
【背景技術】
【０００２】
従来の給湯機では、混合弁等の制御弁、循環ポンプ、流量センサ、有線リモコン、各種センサ等へ電源供給を運転停止時にも行っており、運転停止時の待機電力は無視できない。
【０００３】
また、この待機電力を低減するために、各種制御弁、流量センサ、水位センサ、ヒートポンプ通信回路などの機能部品について、いくつかのグループにグループ分けし、分類した複数のグループについてグループ単位で通電を制御するものが提案されている（特許文献１）。
【０００４】
さらに、大型化、高機能化したリモコンの待機電力を低減するために、流量センサ、給湯制御負荷、有線リモコンが全て待機になったときに通電を制御するものが提案されている（特許文献２）。
【先行技術文献】
【特許文献】
【０００５】
【特許文献１】特開２００６−３４９２７３号公報
【特許文献２】特開２０１２−９７９０８号公報
【発明の概要】
【発明が解決しようとする課題】
【０００６】
特許文献２では、流量センサ、給湯制御負荷、有線リモコンが全て待機になったときに電源を低圧に切り替えて待機電力の低減を図っているが、流量センサからの信号のみを検知したとき、給湯制御負荷のみが動作するときに有線リモコンへも定常電力の供給が復帰するため待機電力低減が図れない問題があった。
【０００７】
本発明は、前記従来の課題を解決するもので、簡単な構成で待機電力を低減できる給湯機を供給することを目的とする。
【課題を解決するための手段】
【０００８】
前記従来の課題を解決するために、本発明の給湯機は、電力を供給する電源と、該電源から供給された電力を基に、低電圧と定常電圧を切り替えて出力する電圧切替手段と、前記電源から供給された電力を出力または遮断する電源遮断手段と、該電源遮断手段から供給された電力によって駆動される給湯制御負荷と、流量を検知する流量センサと、該流量センサからの信号を受信して、前記電源切替手段、前記電源遮断手段、前記給湯制御手段を制御する制御回路とを備え、該制御回路は、前記流量センサが流量を検出したときに、有線リモコンに低電圧を供給するとともに前記給湯制御負荷に電力を供給し、前記流量センサが流量を検出しないときに、前記有線リモコンに低電圧を供給するとともに前記給湯制御負荷に電力を供給しないものである。
【発明の効果】
【０００９】
本発明によれば、簡単な構成で待機電力を低減できる給湯機を提供できる。
【図面の簡単な説明】
【００１０】
【図１】一実施例の給湯機の制御装置の構成図
【図２】一実施例の給湯機の制御装置のフローチャート
【発明を実施するための形態】
【００１１】
図１は、一実施例の給湯機の制御装置の制御ブロック図である。図１において、１は給湯機であるが、貯湯タンクなど周知の構成は図示を省略している。２は給湯機１内の電源を供給する電源、３は制御回路、４は電源２の出力電圧を定常電圧と低電圧に切り替える電圧切替手段で制御回路３からの信号で制御される。５は流量を検出する流量センサで制御回路３に流量信号を送る。なお、ここでは流量センサ５を一つだけ図示するが、流量センサ５は複数存在しても良いし、流れの有無だけを検知する流れセンサを用いても良い。６は給湯混合弁や循環ポンプ等の給湯制御負荷であり、制御回路３からの信号で駆動される。７は給湯制御負荷６内のセンサ部であり、各々の負荷内で検出された検出信号を制御手段３へ送る。８は制御回路３からの信号に基づいて電源２からセンサ部７に電力を供給または遮断する電源遮断手段、９は制御回路３と双方向通信を行い給湯機１の状態表示や設定を行う有線リモコンである。なお、電圧切替手段４で切り替える低電圧は、有線リモコン９が使用者のボタン入力を受け付けることができる電圧であり、定常電圧は有線リモコン９が備えた液晶表示、バックライト、LEDなどを点灯できる電圧である。
【００１２】
次に図２のフローチャートを用いて、本実施例の給湯機１における、制御回路３の動作を説明する。
【００１３】
ステップ２０２では、有線リモコン９が使用者の操作を待っている待機状態であるかを判断する。使用者が有線リモコン９を操作し給湯が行われている場合や、有線リモコン９に設けられた人検知センサが近傍に人がいるときを検出した場合など、待機状態でないときには、ステップ２０６に進み、制御回路３は、有線リモコン９に定常電圧を供給するよう電圧切替手段４を制御するとともに、給湯制御負荷６内のセンサ部７に電力を供給できるよう電源遮断手段８を制御する。これにより、有線リモコン９の液晶表示などが点灯されるとともに、制御回路３はセンサ部７からの信号を受信することができる。
【００１４】
ステップ２０２で有線リモコン９が待機状態であると判断されたときには、ステップ２０３に進み、流量センサ５が流量を検知したかを判断する。流量が検知されなかったときは、有線リモコン９に低電圧を供給するとともに、給湯制御負荷６への電力供給を遮断し、消費電力量を抑制する。
【００１５】
一方、ステップ２０３で流量が検知されたときには、有線リモコン９に低電圧を供給するとともに、給湯制御負荷６のセンサ部７への電力供給し、有線リモコン９での消費電力量を抑制するとともに、制御回路３がセンサ部７からの信号を受信できるようにする。
【００１６】
以上のように、本実施の形態においては、流量センサ５で流量が検出された時であっても、有線リモコン９へは低電圧の供給が継続し、定常電圧の供給に復帰しないので、液晶表示やバックライト等の不要な点灯を抑制することができ、有線リモコン９での消費電力を抑制できる。
【符号の説明】
【００１７】
１．  給湯機
２．  電源
３．  制御回路
４．  電圧切替手段
５．  流量センサ
６．  給湯制御負荷
７．  センサ部
８．  電源遮断手段
９．  有線リモコン
【図１】
2016109386.tif 000003
【図２】
2016109386.tif 000004